(57)【要約】【課題】一例として、容器内の圧力が上昇した場合に、容器内の圧力上昇をユーザが認識し易い電池を得る。【解決手段】実施形態に係る電池は、容器と、蓄電部と、薄肉部と、突部と、を備えた。前記容器は、壁部を有し、合成樹脂材料を含む材料によって構成された。前記蓄電部は、前記容器に収容された。前記薄肉部は、前記壁部に設けられて周囲よりも厚さが薄く、前記容器内の圧力上昇により前記容器の外側に向けて膨らむ。前記突部は、前記薄肉部から前記容器の外方に向けて突出した。【選択図】図２
2014110127.tif 000002
【特許請求の範囲】
【請求項１】
壁部を有し、合成樹脂材料を含む材料によって構成された容器と、
前記容器に収容された蓄電部と、
前記壁部に設けられて周囲よりも厚さが薄く、前記容器内の圧力上昇により前記容器の外側に向けて膨らむ薄肉部と、
前記薄肉部から前記容器の外方に向けて突出した突部と、
を備えた電池。
【請求項２】
前記筐体に設けられ、前記薄肉部の外面を覆ったカバー部を備え、
前記カバー部には、前記突部を露出させる開口部が設けられた請求項１に記載の電池。
【請求項３】
前記筐体には、前記突部を収容した収容部が設けられ、
前記カバー部は、前記収容部に含まれた請求項２に記載の電池。
【請求項４】
前記壁部の外面には、前記薄肉部によって凹部が設けられ、
前記収容部は、前記凹部を含み、
前記カバー部は、前記凹部を覆った請求項３に記載の電池。
【請求項５】
前記壁部の内面には、前記薄肉部によって凹部が設けられ、
前記収容部は、前記壁部の外面に突設された、請求項３に記載の電池。
【請求項６】
前記突部は、前記カバー部の前記薄肉部とは反対側の外面から突出しない状態から、前記容器内の圧力上昇による前記薄肉部の膨らみによって前記カバー部の前記外面から突出する請求項２ないし５のいずれか一項に記載の電池。
【請求項７】
前記突部の少なくとも先端部の側面の色は、前記突部の周囲の部分の色と異なる請求項１ないし６のいずれか一項に記載の電池。
【請求項８】
前記突部には、相互に異なる色の複数の領域が前記突部の突出方向に沿って並べて設けられている請求項１ないし７のいずれか一項に記載の電池。
【請求項９】
前記薄肉部は、前記容器内の圧力上昇により、前記容器の外側に向けて膨らんでから破断することによって前記容器内を開放する請求項１ないし８のいずれか一項に記載の電池。
【請求項１０】
前記薄肉部は、前記容器内の圧力上昇により、前記容器の外側に向けて膨らんでから破断することによって前記容器内を開放し、
前記突部は、前記薄肉部が破断する前記容器内の圧力よりも低い前記収容部内の圧力で前記カバー部の前記外面から突出する請求項６に記載の電池。
【請求項１１】
前記薄肉部には、溝部が設けられている請求項６または１０に記載の電池。
【請求項１２】
前記溝部は、前記突部を囲った環状部を含む請求項１１に記載の電池。
【請求項１３】
前記環状部は、同心円状に複数設けられた請求項１２に記載の電池。
【請求項１４】
前記溝部は、前記突部を中心として放射状に延びた複数の延在部を有した請求項１１ないし１３のいずれか一項に記載の電池。
【請求項１５】
前記薄肉部は、前記壁部における前記薄肉部の周囲と異なる材料によって構成された請求項１ないし１４のいずれか一項に記載の電池。
【請求項１６】
前記突部は、前記薄肉部の中央部に設けられた請求項１ないし１５のいずれか一項に記載の電池。
【発明の詳細な説明】
【技術分野】
【０００１】
本発明の実施形態は、電池に関する。
【背景技術】
【０００２】
従来、筐体と当該筐体に収容された蓄電部とを備えた電池が知られている。
【先行技術文献】
【特許文献】
【０００３】
【特許文献１】特開２００９−１５２０７１号公報
【特許文献２】特開２００５−３２２４７１号公報
【発明の概要】
【発明が解決しようとする課題】
【０００４】
この種の電池では、一例としては、容器内でガスが発生して容器内の圧力が上昇した場合に、容器内の圧力上昇をユーザが認識し易いことが望ましい。
【課題を解決するための手段】
【０００５】
実施形態に係る電池は、容器と、蓄電部と、薄肉部と、突部と、を備えた。前記容器は、壁部を有し、合成樹脂材料を含む材料によって構成された。前記蓄電部は、前記容器に収容された。前記薄肉部は、前記壁部に設けられて周囲よりも厚さが薄く、前記容器内の圧力上昇により前記容器の外側に向けて膨らむ。前記突部は、前記薄肉部から前記容器の外方に向けて突出した。
【図面の簡単な説明】
【０００６】
【図１】図１は、第１実施形態に係る電池の一例を示す斜視図である。
【図２】図２は、第１実施形態に係る電池の一部の一例を示す断面図である。
【図３】図３は、第１実施形態に係る電池の一部の一例を示す断面図であって、容器内の圧力が上昇した状態を示す図である。
【図４】図４は、第１実施形態に係る電池の蓋とその周囲との一例を示す平面図である。
【図５】図５は、第２実施形態に係る電池の一部の一例を示す断面図であって、容器内の圧力が上昇した状態を示す図である。
【図６】図６は、第３実施形態に係る電池の薄肉部とその周囲との一例を示す平面図である。
【図７】図７は、第３実施形態に係る電池の一部の一例を示す断面図である。
【図８】図８は、第３実施形態の第１変形例に係る電池の薄肉部とその周囲との一例を示す断面図である。
【図９】図９は、第３実施形態の第２変形例に係る電池の薄肉部とその周囲との一例を示す断面図である。
【図１０】図１０は、第４実施形態に係る電池の一部の一例を示す断面図である。
【図１１】図１１は、第５実施形態に係る電池の一部の一例を示す断面図である。
【図１２】図１２は、第６実施形態に係る電池の一例を示す斜視図である。
【図１３】図１３は、第６実施形態に係る電池の容器本体を示す平面図である。
【発明を実施するための形態】
【０００７】
以下、図面を参照して、実施形態について詳細に説明する。なお、以下の複数の実施形態および変形例には、同様の構成要素が含まれている。よって、以下では、それら同様の構成要素には共通の符号を付与するとともに、重複する説明を省略する。
【０００８】
（第１実施形態）
本実施形態では、電池１は、一例としては、二次電池（蓄電池、充電式電池）として構成されうる。例えば、電池１は、リチウムイオン二次電池として構成される。なお、電池１は、ニッケル水素電池や、ニッケルカドミウム電池、鉛蓄電池等、他の二次電池であってもよい。
【０００９】
電池１は、例えば、種々の装置や、機械、設備等に設置されうる。具体的に、電池１は、例えば、自動車や自転車（移動体）等の電源等、移動型の電源としても使用される他、ＰＯＳ（point  of  sales）システム用の電源等、定置型の電源としても使用される。
【００１０】
図１，２に示すように、電池１は、容器２を備えている。容器２には、正極端子３と負極端子４とが固定されている。また、容器２は、蓄電部５（電極体、図２）と電解液（電解質）とを収容している。
【００１１】
容器２は、扁平な直方体形状の外観を呈している。容器２は、一例として、合成樹脂材料を含む材料によって構成されている。本実施形態では、容器２は、合成樹脂材料からなる材料によって構成されている。一例として、容器２は、例えば、絶縁性を有した合成樹脂材料（例えば、変性ＰＰＥ（ポリフェニレンエーテル）や、ＰＦＡ（パーフルオロアルコキシアルカン、テトラフルオロエチレン・パーフルオロアルキルビニルエーテル共重合体）等）で構成される。また、容器２の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦ等の非結晶性樹脂およびそれらのアロイ樹脂を、用いることができる。
【００１２】
容器２は、一端（上端）が開口した容器本体２ａと、容器本体２ａの開口を塞いだ矩形板状の蓋２ｂとを有している。蓋２ｂと容器本体２ａとは相互に結合されており、容器２は、液密および気密に構成されている。容器本体２ａと蓋２ｂとは、例えば溶着や溶接などによって結合されている。蓋２ｂは、壁部（壁）の一例である。蓋２ｂは、内面２ｃ（面）と外面２ｄ（面）とを有している。内面２ｃは、容器２の内部に面し、外面２ｄは、蓋２ｂにおける内面２ｃの反対側の面であり、容器２の外部に面している。また、容器２の内部には、収容室２ｅ（室、図２）が設けられている。収容室２ｅは、蓄電部５と電解液とを収容している。
【００１３】
蓄電部５は、発電要素である正極シート及び負極シートがセパレータを介してスパイラル状に巻かれて形成されている。
【００１４】
図１に示すように、正極端子３（第一端子）は、蓋２ｂの長手方向の一端部に設けられている。一方、負極端子４（第二端子）は、蓋２ｂの長手方向の他端部に設けられている。これらの正極端子３及び負極端子４は、蓋２ｂを貫通して設けられて、蓄電部５の正極及び負極にそれぞれ接続されている。正極端子３及び負極端子４は、蓋２ｂの外面２ｄから容器２の外方へ突出している。
【００１５】
また、電池１は、圧力検出部６（検出部、圧力上昇検出部、報知部）を備えている。圧力検出部６は、一例として、蓋２ｂに設けられている。圧力検出部６は、一例として、正極端子３と負極端子４との間に位置されている。圧力検出部６は、容器２内の圧力上昇（圧力、圧力異常）を検出する。なお、圧力検出部６は、容器本体２ａの壁部に設けられていてもよい。
【００１６】
圧力検出部６は、図２に示すように、蓋２ｂに設けられた薄肉部２ｆと、突部２ｇ（突起部）と、カバー部７と、を有している。蓋２ｂにおける薄肉部２ｆ以外の部分は、一例として、肉厚部２ｈとなっている。
【００１７】
薄肉部２ｆは、周囲（肉厚部２ｈ）よりも厚さが薄い。薄肉部２ｆは、一例として、円環状（環状）に設けられている。薄肉部２ｆは、容器２の内部（収容室２ｅ）から圧力を受ける。蓋２ｂにあっては、薄肉部２ｆが他の部分（圧肉部２ｈ）よりも厚さが薄いので、薄肉部２ｆが容器２内の圧力を受けて変形し易くなっており、薄肉部２ｆは、容器２内の圧力上昇により容器２の外側に向けて膨らむ（変形する）。本実施形態では、蓋２ｂは一例として、金型成形によって製造される。よって、蓋２ｂの一部を薄肉にするのが比較的容易である。
【００１８】
薄肉部２ｆは、内面２ｉと外面２ｊとを有している。内面２ｉは、蓋２ｂの内面２ｃの一部であり、外面２ｊは、蓋２ｂの外面２ｄの一部である。薄肉部２ｆによって、蓋２ｂの外面２ｄには、凹部２ｋが設けられている。凹部２ｋは、カバー部７とともに、収容部８を構成している。即ち、収容部８は、凹部２ｋとカバー部７とを含んでいる。収容部８は、突部２ｇを収容している。
【００１９】
突部２ｇは、薄肉部２ｆから容器２の外方に向けて突出している。突部２ｇは、一例として、薄肉部２ｆの中央部に設けられている。突部２ｇは、一例として円柱状（棒状）を呈している。
【００２０】
カバー部７は、図１，２に示すように、蓋２ｂ（容器２）に設けられている。カバー部７は、一例として円形板状（板状）を呈している。カバー部７は、薄肉部２ｆの外面２ｊを覆っている。カバー部７は、薄肉部２ｆの外面２ｊと離間して外面２ｊに面している。カバー部７は、凹部２ｋの開口縁部で蓋２ｂに、例えば係合構造（スナップヒット）や溶着、接着等によって結合され、凹部２ｋを覆っている（塞いでいる）。
【００２１】
カバー部７は、内面７ａと、外面７ｂとを有している。内面７ａは、薄肉部２の外面２ｊに面している。外面７ｂは、カバー部７の薄肉部２ｆとは反対側の面である。一例として、外面７ｂは、蓋体２の肉厚部２ｈでの外面２ｄと略同一平面内に位置している。カバー部７には、孔７ｃ（開口部）が設けられている。なお、カバー部７の開口部としては、孔７ｃに替えて切り欠きが設けられていてもよい。孔７ｃは、カバー部７の中央部に設けられて、突部２ｇを露出させる。一例として、孔７ｃには、突部２ｇが挿入されている。孔７ｃに挿入された突部２ｇの側面２ｎとカバー部７とは離間している。また、カバー部７には、図４に示すように、複数の孔７ｄが設けられている。孔７ｄは、孔７ｃの周囲に複数設けられている。なお、図１では、孔７ｄは省略されている。カバー部７は、一例として合成樹脂材料によって構成されている。カバー部７の材料は、容器２と同じであってよい。
【００２２】
圧力検出部６では、容器２内の圧力が第一の所定圧力（第一圧力、第一圧力範囲内）である場合には、図２に示すように、薄肉部２ｆは平坦形状（初期形状）となっている。このとき、突部２ｇは、カバー部７の外面７ｂから突出していない。一例として、突部２ｇの先端面２ｍ（端面、端）は、孔７ｃ内に位置している。この状態から容器２内にガスが発生して容器２内の圧力が上昇した場合、図３に示すように、薄肉部２ｆが容器２内の圧力上昇により容器２の外側に向けて膨らむ（変形する）。これにより、突部２ｇが、容器２の外側に移動してカバー部７の外面７ｂから突出する。このように、本実施形態では、突部２ｇは、カバー部７の外面７ｂから突出しない状態から、容器２内の圧力上昇による薄肉部２ｆの膨らみによってカバー部７の外面７ｂから突出する。この際、凹部２ｋ内の空気（気体）は、孔７ｃ，７ｄから凹部２ｋ外へ排出される。
【００２３】
また、本実施形態では、一例として、薄肉部２ｆは、容器２内の圧力上昇により、容器２の外側に向けて膨らんでから破断することによって容器２内を開放する。薄肉部２ｆは、容器２内に圧力が、第一の所定圧力よりも大きい第二の所定圧力を超えた場合に破断する。一例として、薄肉部２ｆは、その外周縁部や突部２ｇとの接続部付近等から破断する。これにより、容器２内のガスが放出され、容器２内の圧力が下がる。つまり、薄肉部２ｆは、安全弁として機能する。ここで、突部２ｇは、薄肉部２ｆが破断する容器２内の圧力よりも低い容器２内の圧力でカバー部７の外面７ｂから突出するようになっている。
【００２４】
以上説明したように、本実施形態の電池１では、薄肉部２ｆが、容器２内の圧力上昇により容器２の外側に向けて膨らむことで、突部２ｇが容器２の外側に向けて移動する。したがって、本実施形態によれば、容器２内でガスが発生して容器２内の圧力が上昇した場合に、容器２内の圧力上昇をユーザが認識（目視）し易い。よって、ユーザは、薄肉部２ｆが破断する前に、電池１を交換する必要があることを認識して電池１を交換することができる。
【００２５】
また、本実施形態の電池１では、圧力検出部６において、薄肉部２ｆが、容器２内の圧力上昇により容器２の外側に向けて膨らむことで、突部２ｇが容器２の外側に向けて移動する。つまり、本実施形態の電池１では、圧力検出部６の動作用電力が不要である。よって、電池１の電力を使用する必要がない。
【００２６】
また、本実施形態では、突部２ｇは、カバー部７の外面７ｂから突出しない状態から、容器２内の圧力上昇による薄肉部２ｆの膨らみによってカバー部７の外面７ｂから突出する。したがって、本実施形態によれば、容器２内でガスが発生して容器２内の圧力が上昇した場合に、容器２内の圧力上昇をユーザがより認識し易い。
【００２７】
また、本実施形態では、突部２ｇが、薄肉部２ｆの中央部に設けられている。したがって、本実施形態によれば、突部２ｇの移動量が比較的大きくなる。
【００２８】
また、本実施形態では、カバー部７が薄肉部２ｆの外面２ｊを覆っている。したがって、本実施形態によれば、カバー部７によって薄肉部２ｆを保護することができる。
【００２９】
また、本実施形態によれば、凹部２ｋが、突部２ｇを収容している。したがって、本実施形態によれば、凹部２ｋによって突部２ｇを保護することができる。
【００３０】
また、本実施形態では、薄肉部２ｆが、容器２内の圧力上昇により、容器２の外側に向けて膨らんでから破断することによって容器２内を開放する。したがって、本実施形態によれば、容器２内で発生したガスを容器２外へ放出することができる。
【００３１】
また、本実施形態によれば、突部２ｇは、薄肉部２ｆが破断する容器２内の圧力よりも低い容器２内の圧力でカバー部２の外面７ｂから突出する。したがって、薄肉部２ｆが破断する前に、容器２内の圧力上昇をユーザが認識することができる。
【００３２】
（第２実施形態）
図５に示すように、本実施形態は、突部２ｇの側面２ｎの少なくとも一部の色が、突部２ｇの周囲の部分（本実施形態では、カバー部７）の色と異なっている。一例として、本実施形態では、突部２ｇの少なくとも先端部２ｐの色が、突部２ｇの周囲の部分（カバー部７）の色と異なる。一例として、本実施形態では、突部２ｇには、相互に異なる色の複数の領域２ｎ１，２ｎ２が突部２ｇの突出方向（延在方向、高さ方向）に沿って並べて設けられている。領域２ｎ１，２ｎ２は、環状の帯状領域である。領域２ｎ１は、第１の識別色（例えば黄色）に塗られ、領域２ｎ２は、第２の識別色（例えば赤色）に塗られている。この場合、カバー部７は、第１の識別色と第２の識別色とは異なる色（例えば白色や黒色など）である。突部２ｇは、容器２内の圧力が大きくなるにつれ、カバー部７の外面７ｂからの突出量が大きくなる。よって、容器２内に圧力が大きくなるにつれ、カバー部７の外面７ｂから領域２ｎ１が突出し、次に、カバー部７の外面７ｂから領域２ｎ２が突出する。本実施形態では、一例として、領域２ｎ２は、カバー部７の外面７ｂから突出することで、電池１が交換時期となったことを示す。なお、側面２ｎには、色の替わりに、突部２ｇの突出量（容器２内の圧力の大きさ）を示す目盛り（印）を設けてもよい。
【００３３】
以上説明したように、本実施形態では、突部２ｇの少なくとも先端部２ｐの色が、突部２ｇの周囲の部分（カバー部７）の色と異なる。したがって、本実施形態によれば、突部２ｇがカバー部７の外面７ｂから突出したことを、ユーザがより認識し易い。
【００３４】
また、本実施形態では、実施形態では、突部２ｇには、相互に異なる色の複数の領域２ｎ１，２ｎ２が突部２ｇの突出方向に沿って並べて設けられている。したがって、本実施形態では、突部２ｇの突出量（容器２内の圧力の大きさ）をユーザが認識し易い。
【００３５】
（第３実施形態）
図６，７に示すように、本実施形態は、薄肉部２ｆに、溝部２ｑが設けられている点が前述の実施形態と異なる。なお、図６では、カバー部７が図示されていない。
【００３６】
溝部２ｑは、一例として、外面２ｊに設けられている。なお、溝部２ｑは、内面２ｉに設けられていてもよい。溝部２ｑは、環状部２ｑ１を含んでいる。環状部２ｑ１は、一例として、複数（一例として二つ）設けられている。環状部２ｑ１は、一例として、突部２ｇを囲った円環状となっている。複数の環状部２ｑ１は、突部２ｇを中心とした同心円状に設けられている。環状部２ｑ１は、一例として、薄肉部２ｆの外周縁部と、薄肉部２ｆにおける突部２ｇとの接続部と、に設けられている。
【００３７】
また、溝部２ｑは、一例として、複数の延在部２ｑ２を含んでいる。延在部２ｑ２は、突部２ｇを中心として放射状に延びている。延在部２ｑ２は、環状部２ｑ１と接続されている。
【００３８】
以上の構成の本実施形態では、薄肉部２ｆに、溝部２ｑが設けられていることにより、一例として、容器２内に圧力が上昇した場合には、溝部２ｑに応力集中が発生して、薄肉部２ｆが溝部２ｑから破断する。かかる構成では、溝部２ｑの深さに応じて薄肉部２ｆの破断圧力を決定することができる。また、蓋２ｂの材料（合成樹脂材料）の材料強度に応じて溝部２ｑの深さを設定することで、破断圧力を決定することができる。
【００３９】
次に、本実施形態の第１変形例を説明する。図８に示すように、本変形例では、環状部２ｑ１が、薄肉部２ｆの外周縁部と薄肉部２ｆにおける突部２ｇとの接続部との間にも設けられている。一例として、本変形例では、溝部２ｑは、四重の環状部２ｑ１によって構成されている。
【００４０】
次に、本実施形態の第２変形例を説明する。図９に示すように、本実施形態では、第１変形例の構成に加えて、延在部２ｑ２が設けられている。延在部２ｑ２と環状部２ｑ１とは、交差している。
【００４１】
（第４実施形態）
図１０に示すように、本実施形態は、蓋２ｂの内面２ｃに、薄肉部２ｆによって凹部２ｒが設けられている点が、上述した実施形態と異なる。また、本実施形態では、収容部８は、蓋２ｂの外面２ｄに突設されている。収容部８は、外面２ｄから突出し突部２ｇの側面２ｎを囲った囲部２ｓと、この囲部２ｓの先端部に設けられたカバー部７とを有する。囲部２ｓは、突部２ｇの側面を覆っている。以上の構成においても、第１の実施形態と同様の効果を奏することができる。
【００４２】
（第５実施形態）
図１１に示すように、本実施形態では、薄肉部２ｆが、蓋２ｂにおける当該薄肉部２ｆの周囲（肉厚部２ｈ）と異なる材料によって構成されている点が、前述の実施形態と異なる。一例として、薄肉部２ｆの材料は、肉厚部２ｈの材料よりも曲げ弾性率（剛性）が低い材料が採用されている。例えば、肉厚部２ｈは、蓋２ｂの強度を高めるために、合成樹脂材料にガラス繊維等の強化材が混ぜられた材料（合成樹脂材料を主成分とした材料）によって構成され、薄肉部２ｆは、容器２内の圧力が上昇した際に大きく変形するように合成樹脂材料だけによって構成されている。つまり、薄肉部２ｆには、ガラス繊維等の強化材が含まれていない。このような蓋２ｂは、例えば、二色成形や二重成形によって成形されうる。以上の構成によれば、容器２内でガスが発生した場合に、薄肉部２ｆがより大きく変形して、突部２ｇがカバー部７の外面７ｂからより突出するので、容器２内の圧力上昇をユーザが認識し易い。
【００４３】
（第６実施形態）
図１２，１３に示すように、本実施形態の電池１Ａ（二次電池、電池モジュール、電池ユニット）は、上述した複数の実施形態のいずれかの電池１に相当する単電池部１００を複数備えている。各単電池部１００は、相互に重ねられて相互に連結されている。なお、図１２では、第１実施形態の電池１に相当する単電池部１００の例が示されている。
【００４４】
電池１Ａは、容器２Ｇを有している。容器２Ｇは、一端（上端）が開口し複数の収容室２ｅが設けられた容器本体２ａＧと、容器本体２ａＧの開口を塞いだ矩形板状の蓋２ｂＧとを有している。蓋２ｂＧと容器本体２ａＧとは相互に結合されており、容器２Ｇは、液密および気密に構成されている。容器本体２ａと蓋２ｂとは、例えば溶着や溶接などによって結合されている。各収容室２ｅは、蓄電部５と電解液とを収容している。即ち、本実施形態では、蓄電部５と電解液とを収容した収容室２ｅが複数設けられている。単電池部１００同士は、一例として、バスバー１０１によって直列に接続されている。そして、各単電池部１００（収容室２ｅ）に、圧力検出部６が設けられている。
【００４５】
以上の構成の本実施形態によっても、上記実施形態と同様の効果が得られる。
【００４６】
以上説明した各実施形態によれば、容器２，２Ｇ内でガスが発生して容器２内の圧力が上昇した場合に、容器２内の圧力上昇をユーザが認識し易い電池１，１Ａを得ることができる。
【００４７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１，１Ａ…電池、２，２Ｇ…容器、２ｂ，２ｂＧ…蓋（壁部）、２ｃ…内面、２ｄ…外面、２ｆ…薄肉部、２ｇ…突部、２ｈ…肉厚部、２ｉ…内面、２ｊ…外面、２ｋ…凹部、２ｎ…側面、２ｎ１…領域、２ｎ２…領域、２ｐ…先端部、２ｑ…溝部、２ｑ１…環状部、２ｑ２…延在部、２ｒ…凹部、２ｓ…囲部、５…蓄電部、７…カバー部、７ａ…内面、７ｂ…外面、７ｃ…孔（開口部）、８…収容部。
【図１】
2014110127.tif 000003
【図２】
2014110127.tif 000004
【図３】
2014110127.tif 000005
【図４】
2014110127.tif 000006
【図５】
2014110127.tif 000007
【図６】
2014110127.tif 000008
【図７】
2014110127.tif 000009
【図８】
2014110127.tif 000010
【図９】
2014110127.tif 000011
【図１０】
2014110127.tif 000012
【図１１】
2014110127.tif 000013
【図１２】
2014110127.tif 000014
【図１３】
2014110127.tif 000015